(57)【特許請求の範囲】
【請求項１】
表示画面に対して所定の視野角方向に位置する視聴者に対し画像を表示すると共に、前記視野角方向とは異なる視野角方向に位置する視聴者に対して前記画像とは独立して個別に画像を表示する複数表示機能を有すると共にタッチセンサを備えた表示装置において、
前記所定の視野角方向及び当該方向とは異なる視野角方向に位置するそれぞれの視聴者に対し個別にアイコンを表示するアイコン表示制御部と、
前記アイコンに係わる処理の実行を制御するアイコン操作制御部とを有し、
前記アイコン表示制御部は、前記アイコンが操作されると当該操作されたアイコンに係る処理の実行の要否の入力を求めるダイアログを前記それぞれの視野角方向に位置する視聴者に対してそれぞれ表示し、
前記アイコン操作制御部は、最初に操作されたアイコンの視野角方向に表示されたダイアログの入力操作に基づいて前記操作されたアイコンに係る処理の実行を制御し、前記最初に操作されたアイコンの視野角方向とは異なる視野角方向に表示されたダイアログの入力操作についてはキャンセルする制御を実行することを特徴とする表示装置。
【請求項２】
前記アイコン表示制御部は、前記操作されたアイコンの視野角方向に表示される、前記ダイアログにおいて、前記操作されたアイコンに係わる処理の実行を指示する表示を、当該処理を実行しないことを指示する表示よりも大きくすることを特徴とする請求項１に記載の表示装置。
【請求項３】
前記アイコン表示制御部は、前記操作されたアイコンの視野角方向とは異なる視野角方向に、前記ダイアログと共に、前記操作されたアイコンを示す情報を表示することを特徴とする請求項１又は２に記載の表示装置。
【発明の詳細な説明】
【技術分野】
【０００１】
本発明は、表示装置、特に、複数表示機能を有すると共にタッチセンサを備えた表示装置に関する。
【背景技術】
【０００２】
複数表示機能、例えば、デュアルビュー表示機能を有する液晶パネル（以下、デュアルビュー液晶と記す）は、表示画面に対して所定の視野角方向に位置する視聴者に対し画像を表示すると共に、前記視野角方向とは異なる視野角方向に位置する視聴者に対して前記画像とは独立して個別に画像を表示することができる（特許文献１参照）。
【０００３】
ここで、図５を用いてデュアルビュー表示の原理について説明する。
視野バリア１０１は、不透明領域（黒色部）で隔たれた透明スリットを多数有するフィルタであり、液晶パネル１０２を透過したバックライト（図示しない）からの光線を左右に分離する。
【０００４】
図からも明らかなように、液晶パネル１０２の画素ｘを透過した光線は、視野バリア１０１の透明スリットを透過して液晶パネル１０２に対して所定の視野角方向（左側）に位置する視聴者Ｘに到達する。同様に、液晶パネルの画素ｙを透過した光線は、視野バリア１０１の透明スリットを透過して液晶パネル１０２に対して前記所定の視野角方向とは異なる視野角方向（右側）に位置する視聴者Ｙに到達する。
【０００５】
そして、視野バリア１０１の透明スリットの幅や間隔に応じて、１画素ごと又は複数の画素ごとに、異なる画像データを液晶パネル１０２に出力すれば、視野バリア１０１により異なる画像をそれぞれ分離して表示することができる。
【０００６】
このようなデュアルビュー液晶をタッチセンサと共に用いることで、デュアルビュー液晶タッチセンサとすることができる。
デュアルビュー液晶タッチセンサには、通常、操作子、例えば、アイコンが表示されるが、アイコンに係わる処理を適切に実行するため、図６（Ａ）に示すように、表示画面１１０に対して所定の視野角方向（左側）に位置する視聴者Ｘに対して表示するアイコンＸと、前記所定の視野角方向とは異なる視野角方向（右側）に位置する視聴者Ｙに対して表示するアイコンＹの表示領域が重さならないように、アイコンＸ、アイコンＹを配置する必要がある。かかるアイコンの配置を可能にした表示装置が、特許文献２に開示されている。
【０００７】
ここで、図６（Ｉ）は、所定の視野角方向（左側）に位置する視聴者Ｘが視聴する表示画面１１０Ｌ、図６（II）は、前記所定の視野角方向とは異なる視野角方向（右側）に位置する視聴者Ｙが視聴する表示画面１１０Ｒを示したものである。
【特許文献１】特開２００５−７８０７６号公報
【特許文献２】特開２００５−２８４５９２号公報
【発明の開示】
【発明が解決しようとする課題】
【０００８】
しかし、特許文献２に開示の表示装置を使用した場合、図７（Ｉ）の符号Ｍに示すように、所定の視野角方向（左側）に位置する視聴者Ｘが、前記所定の視野角方向とは異なる視野角方向（右側）に位置する視聴者Ｙに対して表示するアイコンＹを、誤って操作することがある。特に、描画ソフトを実行し、スタイラス等を使用して表示画面上に絵を描いている場合には、かかる誤操作をする可能性が大きくなる。
このような場合、アイコンＹに係る処理（例えば、印刷処理）を即座に実行してしまうと、アイコンＹの操作により、突然、予期しない処理が実行されたりするので、視聴者Ｙは、困惑してしまうという問題があった。
【０００９】
本発明は、かかる実情に鑑みてなされたものであり、異なる視野角方向に位置する視聴者に表示されたアイコンを誤操作したとしても、誤操作に係る処理の実行を防止することが可能な表示装置を提供することを目的とする。
【課題を解決するための手段】
【００１０】
第１の技術手段は、表示画面に対して所定の視野角方向に位置する視聴者に対し画像を表示すると共に、前記視野角方向とは異なる視野角方向に位置する視聴者に対して前記画像とは独立して個別に画像を表示する複数表示機能を有すると共にタッチセンサを備えた表示装置において、前記所定の視野角方向及び当該方向とは異なる視野角方向に位置するそれぞれの視聴者に対し個別にアイコンを表示するアイコン表示制御部と、前記アイコンに係わる処理の実行を制御するアイコン操作制御部とを有し、前記アイコン表示制御部は、前記アイコンが操作されると当該操作されたアイコンに係る処理の実行の要否の入力を求めるダイアログを前記それぞれの視野角方向に位置する視聴者に対してそれぞれ表示し、  前記アイコン操作制御部は、最初に操作されたアイコンの視野角方向に表示されたダイアログの入力操作に基づいて前記操作されたアイコンに係る処理の実行を制御し、前記最初に操作されたアイコンの視野角方向とは異なる視野角方向に表示されたダイアログの入力操作についてはキャンセルする制御を実行することを特徴とする表示装置である。
【００１１】
第２の技術手段は、第１の技術手段において、前記アイコン表示制御部は、前記操作されたアイコンの視野角方向に表示される、前記ダイアログにおいて、前記操作されたアイコンに係わる処理の実行を指示する表示を、当該処理を実行しないことを指示する表示よりも大きくすることを特徴とする。
【００１２】
第３の技術手段は、第１又は第２の技術手段において、前記アイコン表示制御部は、前記操作されたアイコンの視野角方向とは異なる視野角方向に、前記ダイアログと共に、前記操作されたアイコンを示す情報を表示することを特徴とする。
【発明の効果】
【００１３】
本発明により、異なる視野角方向に位置する視聴者に表示されたアイコンが誤操作されたとしても、当該誤操作に係る処理の実行の要否の入力を求めるダイアログ（ダイアログボックス：Ｄｉａｌｏｇ  Ｂｏｘ）を表示することにより、誤操作に係る処理の実行を防止することができるので、当該誤操作により、視聴者は、困惑することがなくなる。
【発明を実施するための最良の形態】
【００１４】
視聴者がアイコンを誤操作したときに、表示画面に表示される、当該操作に係る処理の実行の要否の入力を求めるダイアログを、図１Ａを用いて説明する。
【００１５】
（視聴者ＸがアイコンＹを誤操作）
図１Ａの符号Ｍに示すように、所定の視野角方向（左側）に位置する視聴者Ｘが、前記所定の視野角方向とは異なる視野角方向（右側）に位置する視聴者Ｙに対して表示するアイコンＹを誤操作したとすると、操作されたアイコンに係わる処理の要否の入力を求めるダイアログ５０及び５１を表示画面１０Ｌ及び１０Ｒに表示する。
ダイアログ５０は、操作されたアイコンＹの視野角方向とは異なる視野角方向に位置する、アイコンＹを誤操作した視聴者Ｘのために表示されるダイアログである。
表示画面１０Ｌのダイアログ５０には、視聴者Ｘとは異なる視野角方向に位置する視聴者Ｙのために表示されたアイコンＹが操作されたことを示す情報（操作されたアイコンを示す情報）、例えば「右画面のアイコン（印刷）が操作されました」と共に、「印刷しますか？」という、前記アイコンの処理の要否の入力を求める文章及び当該処理の実行を指示する表示、例えば［ＹＥＳ］ボタンと、当該処理を実行しないことを指示する表示、例えば［ＮＯ］ボタンが表示される。
【００１６】
この場合、アイコンＹを誤操作した視聴者Ｘは、通常、アイコンＹを誤操作したことに気付いて、［ＮＯ］ボタンを操作し、アイコンＹに係わる処理を実行しない（当該操作のキャンセル）。ここで、視聴者Ｘが視聴者Ｙのために表示されたアイコンＹを誤操作したことに気付かずに、［ＹＥＳ］ボタンを操作した場合でも、当該処理を実行しない。
【００１７】
一方、操作されたアイコンＹの視野角方向に位置する視聴者Ｙのための表示画面１０Ｒに表示されるダイアログ５１には、「印刷しますか？」という、前記アイコンの処理の要否の入力を求める文章と共に、当該処理の実行を指示する［ＹＥＳ］ボタンと、当該処理を実行しないことを指示する［ＮＯ］ボタンが表示される。
【００１８】
この場合、視聴者Ｙは、アイコンＹに係わる処理の実行を意図していないので、通常、［ＮＯ］ボタンを操作する。なお、視聴者Ｙが勘違いして、［ＹＥＳ］ボタンを操作したとすると、前記処理が実行されることになるが、通常、このようなことは考えられない。
これにより、本発明では、操作されたアイコンの視野角方向に表示される、ダイアログ５１の入力操作に基づいて、アイコンの操作が制御されるので、アイコンの操作はキャンセルされることになる。
次に、視聴者ＸがアイコンＸを操作したときに、表示画面に表示される、当該操作に係る処理の実行の要否の入力を求めるダイアログを、図１Ｂを用いて説明する。
【００１９】
（視聴者ＸがアイコンＸを操作）
図１Ｂの符号Ｃに示すように、所定の視野角方向（左側）に位置する視聴者Ｘが、当該視聴者Ｘに対して表示するアイコンＸを操作した場合（誤操作ではない）、操作されたアイコンに係わる処理の要否の入力を求めるダイアログ５２及び５３を、表示画面１０Ｌ及び１０Ｒに表示する。
このダイアログ５２は、操作されたアイコンＸの視野角方向に位置する視聴者Ｘのために表示されるダイアログである。
ダイアログ５２には、「印刷しますか？」という、前記アイコンの処理の要否の入力を求める文章と共に、当該処理の実行を指示する［ＹＥＳ］ボタンと、当該処理を実行しないことを指示する［ＮＯ］ボタンが表示される。
【００２０】
この場合、視聴者Ｘは、アイコンＸに係わる処理の実行を意図しているので、［ＹＥＳ］ボタンを操作し、当該処理を実行する。
また、視聴者Ｘが、気が変わって、印刷処理の実行を中止しようとして、［ＮＯ］ボタンを操作すれば、印刷処理は実行されない。
【００２１】
一方、表示画面１０Ｒには、操作されたアイコンに係わる処理（左画面の印刷）の要否の入力を求めるダイアログ５３が表示される。
このダイアログ５３は、操作されたアイコンＸを表示する所定の視野角方向と異なる視野角方向に位置する視聴者Ｙのために表示されるダイアログである。
ダイアログ５３には、視聴者Ｘのために表示されたアイコンＸが操作されたことを示す情報、例えば、「左画面のアイコン（印刷）が操作されました」と共に、「印刷しますか？」という、前記アイコンの処理の要否の入力を求める文章及び当該処理の実行を指示する［ＹＥＳ］ボタンと、当該処理を実行しないことを指示する［ＮＯ］ボタンが表示される。
【００２２】
この場合、視聴者Ｙは、アイコンＸに係わる処理の実行を意図していないので、通常、［ＮＯ］ボタンを操作する。ここで、仮に、視聴者Ｙが勘違いして［ＹＥＳ］ボタンを操作したとしても、操作されたアイコンの視野角方向に表示されたダイアログ５２の入力操作に基づいて、アイコンの操作が制御されるので、当該操作はキャンセルされることになる。つまり、［ＹＥＳ］［ＮＯ］ボタンの操作は無視されることになる。
【００２３】
以上、視聴者ＸがアイコンＹを誤操作した場合、視聴者ＸがアイコンＸを操作した場合に表示されるダイアログについて説明したが、視聴者Ｘと視聴者Ｙ、アイコンＸとアイコンＹを入れ替えた場合でも、同様である。
【００２４】
図２は、本発明に係わる表示装置のブロック図であり、１は表示装置を示している。
表示装置１は、表示画面に対して所定の視野角方向に位置する視聴者に対し画像を表示すると共に、前記視野角方向とは異なる視野角方向に位置する視聴者に対して前記画像とは独立して個別に画像を表示する複数表示機能を有し、さらに、タッチセンサを備えている。
【００２５】
１１は、液晶パネルである。液晶パネル１１は、前述した視野バリア（図示しない）を備えたデュアルビュー画面を表示可能な液晶パネルであり、後述のタッチセンサ１２と共に表示画面（１０Ｒ、１０Ｌ）を構成する。同パネル１１は、図示しない２つの基板の間に注入されている異方性誘電率を有する液晶層を有し、その液晶層に印加される電界の強さに応じてバックライト（図示しない）からの光の量を調整し画像を表示する。
【００２６】
液晶パネル１１にデュアルビュー表示を行なわせるためには、例えば、図５で説明したように、液晶パネル１１の各画素を、液晶パネル１１の表示面に対して所定の視野角方向に位置する視聴者に対して表示する画像を表示できるように及び前記所定の視野角方向とは異なる視野角方向に位置する視聴者に対して表示する画像を表示できるように駆動すればよく、その手法は、既に提案されている様々な手法を採用することができる。
【００２７】
タッチセンサ１２は、液晶パネル１１の全面に設けられ、視聴者の同パネル１１に対する指等の接近、接触を赤外線遮光方法、超音波表面弾性波方法、静電容量方法等により検知すると、タッチ位置検出部１３は、視聴者がタッチした位置の座標値（タッチ座標値）を算出し、制御部１４へ出力する。制御部１４は、入力されたタッチ座標値により、視聴者がタッチした位置を認識することができる。
【００２８】
制御部１４は、所定の視野角方向に位置する視聴者に対して表示する画像データを出力する画像データ出力部１７Ｌが出力した画像データ、及び、前記所定の視野角方向とは異なる視野角方向に位置する視聴者に対して表示する画像データを出力する画像データ出力部１７Ｒが出力した画像データを液晶表示制御部１５に出力する処理を制御すると共に、各機能ブロックを制御する。
【００２９】
さらに、制御部１４は、所定の視野角方向及び当該方向とは異なる視野角方向に位置するそれぞれの視聴者に対し個別にアイコンを表示するアイコン表示制御部１４ａ、当該アイコンに係わる処理の実行を制御するアイコン実行制御部１４ｂを有する。
【００３０】
アイコン表示制御部１４ａは、メモリ１６Ｌに記憶されている、所定の視野角方向に位置する視聴者に対して表示する画像上のアイコンに係る表示情報や動作情報を含むアイコンデータを液晶表示制御部１５に出力する。なお、表示情報とは、当該アイコンの表示位置、形状等の情報、また、動作情報とは、当該アイコンの操作により実行される動作内容（印刷等）の情報を意味する。
【００３１】
同様に、同表示制御部１４ａは、メモリ１６Ｒに記憶されている、前記所定の視野角方向とは異なる視野角方向に位置する視聴者に対して表示する画像上のアイコンに係る表示情報や動作情報を含むアイコンデータを液晶表示制御部１５に出力する。
【００３２】
このとき、所定の視野角方向に表示するアイコンと、当該所定の視野角方向とは異なる視野角方向に表示するアイコンとが重ならないように、表示制御を行う。
【００３３】
さらに、アイコンが操作されると、アイコン表示制御部１４ａは、前述のように、最初に操作されたアイコンに係る処理の実行の要否の入力を求めるダイアログをそれぞれの視野角方向に位置する視聴者に対して表示する。
【００３４】
また、前記アイコンの視野角方向とは異なる視野角方向に位置する視聴者に対して、操作されたアイコンを示す情報、例えば、図１Ａの「右画面のアイコン（印刷）が操作されました」をダイアログとして表示する。
【００３５】
アイコン実行制御部１４ｂは、最初に操作されたアイコンの視野角方向に表示された実行の要否の入力を求めるダイアログの入力操作に基づいて前記操作されたアイコンに係る処理の実行を制御する。
例えば、図１Ａで説明したように、視聴者Ｘが、最初にアイコンＹを誤操作して当該視聴者Ｘに表示されたダイアログ５０の［ＹＥＳ］ボタンを操作しても当該処理を実行しないように制御する。
一方、図１Ｂで説明したように、視聴者Ｘが最初に正しいアイコンを操作し、視聴者Ｘに表示されたダイアログ５２の［ＹＥＳ］ボタンを操作すれば当該アイコンに係わる処理が実行されることになる。
【００３６】
液晶表示制御部１５は、制御部１４が出力した所定の視野角方向に位置する視聴者に対して表示する画像データ等と当該所定の視野角方向とは異なる視野角方向に位置する視聴者に対して表示する画像データ等とが、デュアルビュー表示されるように、所定の処理を各画像データに施して、液晶パネル１１に出力し、同パネル１１の各画素を駆動する。この際、液晶表示制御部１５は、液晶パネル１１の表示動作を制御するために必要な制御信号も合わせて出力する。
【００３７】
メモリ１６Ｌは、所定の視野角方向に位置する視聴者に対して表示する画像上のアイコンに係る表示情報や動作情報を含むアイコンデータ、及び、ダイアログ用データを記憶する。
メモリ１６Ｒは、前記所定の視野角方向とは異なる視野角方向に位置する視聴者に対して表示する画像上のアイコンに係る表示情報や動作情報を含むアイコンデータ、及び、ダイアログ用データを記憶する。
【００３８】
画像データ出力部１７Ｌは、所定の視野角方向に位置する視聴者に対して表示する画像データを図示しない記録媒体等から取り込み制御部１４に出力する。
同様に、画像データ出力部１７Ｒは、前記所定の視野角方向とは異なる視野角方向に位置する視聴者に対して表示する画像データを図示しない記録媒体等から取り込み制御部１４に出力する。
【００３９】
次に、アイコンＸが操作され、当該操作によりダイアログが表示された後、さらに、表示されたダイアログを介して実行される、当該アイコンＸに係わる処理の制御について、図３のフロー図を用いて説明する。
なお、アイコンＹが操作された場合も、同様にダイアログが表示され、表示されたダイアログを介して、当該アイコンＹに係わる処理が制御される。
【００４０】
アイコン表示制御部１４ａは、視聴者Ｘに対してアイコンＸを表示し（ステップＳ１）、同時に、視聴者Ｙに対してアイコンＹを表示する（ステップＳ２）。
次に、アイコンＸが操作されると（ステップＳ３）、それぞれの視野角方向、つまり、アイコンＸの視野角方向、及び、当該視野角方向とは逆の視野角方向に、操作されたアイコンＸに係わる処理の実行の要否の入力を求めるダイアログ（例えば、図１Ｂのダイアログ５２、５３）を表示する（ステップＳ４）。
【００４１】
アイコンＸの視野角方向に表示されたダイアログの［ＹＥＳ］ボタンを操作すると（ステップＳ５／［ＹＥＳ］ボタンを操作）、操作されたアイコンに係わる処理を実行する（ステップＳ６）。視聴者Ｘが前記ダイアログの［ＮＯ］ボタンを操作すると（ステップＳ５／［ＮＯ］ボタンを操作）、操作されたアイコンに係わる処理を実行しない（ステップＳ７）。
【００４２】
アイコンＸの視野角方向とは逆の視野角方向に表示されたダイアログの［ＹＥＳ］［ＮＯ］ボタンを操作しても、当該ボタン操作をキャンセルする（ステップＳ８）。
【００４３】
［その他］
次に、視聴者が、ダイアログの［ＹＥＳ］ボタン、［ＮＯ］ボタンを操作する際の利便性を向上させる手法について説明する。
図１Ｂの説明のように、アイコンＸの操作により、視聴者Ｘに対してダイアログ５２が表示されるが、この場合、視聴者Ｘは、アイコンＸに係わる処理の実行を意図しているので、ダイアログ５２の［ＹＥＳ］ボタンを操作する。そこで、図４（Ｉ）のダイアログ５２’のように、アイコン表示制御部１４ａは、［ＹＥＳ］ボタンを［ＮＯ］ボタンよりも大きく表示する。
【００４４】
同じく、視聴者Ｙに対してダイアログ５３が表示されるが、この場合、視聴者Ｙは、アイコンＸに係わる処理の実行を意図していないので、ダイアログ５２の［ＮＯ］ボタンを操作する。そこで、図４（II）のダイアログ５３’のように、アイコン表示制御部１４ａは、［ＮＯ］ボタンを［ＹＥＳ］ボタンよりも大きく表示する。
【００４５】
本明細書では、操作子として、アイコンを例示したが、アイコンだけでなく、ボタン、項目選択表の各項目であってもよい。
【図面の簡単な説明】
【００４６】
【図１Ａ】視聴者ＸがアイコンＹを誤操作したときに表示されるダイアログの一例を示した図である。
【図１Ｂ】視聴者ＸがアイコンＸを操作したときに表示されるダイアログの一例を示した図である。
【図２】本発明に係る表示装置のブロック図である。
【図３】アイコン操作から当該アイコンに係わる処理を実行するまでの処理を説明するためのフロー図である。
【図４】ボタン操作の利便性を向上させたダイアログの一例である。
【図５】デュアルビュー表示の原理について説明するための図である。
【図６】表示画面に表示されるアイコンを示した図である。
【図７】アイコンの誤操作の一例を説明するための図である。
【符号の説明】
【００４７】
１…表示装置、１０Ｌ…表示画面（左）、１０Ｒ…表示画面（右）、１１…液晶パネル、１２…タッチセンサ、１３…タッチ位置検出部、１４…制御部、１４ａ…アイコン表示制御部、１４ｂ…アイコン実行制御部、１５…液晶表示制御部、１６Ｌ，１６Ｒ…メモリ、１７Ｌ，１７Ｒ…画像データ出力部、５０〜５３，５２’，５３’…ダイアログ、１０１…視野バリア、１０２…液晶パネル、１１０…表示画面、１１０Ｌ…表示画面（左）、１１０Ｒ…表示画面（右）。
【図１Ａ】
0004378494.tif 000002
【図１Ｂ】
0004378494.tif 000003
【図２】
0004378494.tif 000004
【図３】
0004378494.tif 000005
【図４】
0004378494.tif 000006
【図５】
0004378494.tif 000007
【図６】
0004378494.tif 000008
【図７】
0004378494.tif 000009